(57)【要約】【課題】軽量・コンパクト化を図りつつ、加締加工に伴う内輪の変形を抑えると共に、内輪の肩乗り上げを防止して耐久性を確保した車輪用軸受装置を提供する。【解決手段】ハブ輪２の小径段部２ｂに内輪３が圧入され、小径段部２ｂの端部を径方向外方に塑性変形させて形成した加締部２ｃにより内輪３が固定された車輪用軸受装置において、内輪３の肩部の肉厚をＬ１、内輪３の内側転走面３ａと転動体６との接触点Ｐ１と、内輪３の大端面３ｂとのタッチ部幅をＬ２とした時、Ｌ１×Ｌ２≧１３５に設定されると共に、ハブ輪２のインナー側の端部に予め凹部１２が形成され、この凹部１２の内輪３の大端面３ｂからの深さをＬ４、インナー側の軸受列の作用線と小径段部２ｂとの交点Ｐ２から内輪３の大端面３ｂまでの軸方向寸法をＬ３とした時、Ｌ３＞Ｌ４に設定されている。【選択図】図２
2009293731.tif 000002
【特許請求の範囲】
【請求項１】
内周に複列の外側転走面が一体に形成された外方部材と、
一端部に車輪取付フランジを一体に有し、外周に軸方向に延びる小径段部が形成されたハブ輪、およびこのハブ輪の小径段部に圧入され、外周に前記複列の外側転走面に対向する内側転走面が形成された少なくとも一つの内輪からなる内方部材と、
この内方部材と前記外方部材の両転走面間に保持器を介して転動自在に収容された複列の転動体とを備え、
前記小径段部を径方向外方に塑性変形させて形成した加締部により前記ハブ輪に対して前記内輪が軸方向に固定された車輪用軸受装置において、
前記内輪の肩部の肉厚をＬ１、前記内輪の内側転走面と転動体との接触点と、当該内輪の大端面とのタッチ部幅をＬ２とした時、Ｌ１×Ｌ２≧１３５に設定されていることを特徴とする車輪用軸受装置。
【請求項２】
前記ハブ輪のインナー側の端部に予め凹部が形成されると共に、前記複列の軸受列のうちインナー側の軸受列の作用線と前記小径段部との交点から前記内輪の大端面までの軸方向寸法をＬ３、前記凹部の大端面からの深さをＬ４とした時、Ｌ３＞Ｌ４に設定されている請求項１に記載の車輪用軸受装置。
【請求項３】
前記内輪のインナー側の外径端部に小径部が形成されると共に、角部に円弧状の面取りが形成されている請求項１または２に記載の車輪用軸受装置。
【請求項４】
前記ハブ輪が炭素０．４０〜０．８０重量％を含む中高炭素鋼からなり、外周に前記複列の外側転走面に対向する一方の内側転走面が直接形成され、この内側転走面から前記小径段部に亙り高周波焼入れによって表面硬さを５８〜６４ＨＲＣの範囲に硬化処理され、前記加締部が鍛造後の素材表面硬さ３０ＨＲＣ以下の未焼入れ部とされると共に、前記内輪が高炭素クロム軸受鋼からなり、外周に前記複列の外側転走面に対向する他方の内側転走面が形成され、ズブ焼入れにより芯部まで５８〜６４ＨＲＣの範囲で硬化処理されている請求項１乃至３いずれかに記載の車輪用軸受装置。
【発明の詳細な説明】
【技術分野】
【０００１】
本発明は、自動車等の車輪を懸架装置に対して回転自在に支承する車輪用軸受装置、特に、ハブ輪の揺動加締によって内輪が固定されたセルフリテイン構造において、この加締加工に伴う内輪の変形を抑えると共に、内輪の肩乗り上げを防止して耐久性を確保した車輪用軸受装置に関するものである。
【背景技術】
【０００２】
自動車等の車両の車輪用軸受装置には、駆動輪用のものと従動輪用のものとがある。特に、自動車の懸架装置に対して車輪を回転自在に支承する車輪用軸受装置は、低コスト化は言うまでもなく、燃費向上のための軽量・コンパクト化が進んでいる。その従来構造の代表的な一例として、図４に示すような従動輪用の車輪用軸受装置が知られている。
【０００３】
この車輪用軸受装置は第３世代と称され、軸部材（ハブ輪）５１と内輪５２と外輪５３、および複列のボール５４、５４とを備えている。軸部材５１は、その一端部に車輪（図示せず）を取り付けるための車輪取付フランジ５５を一体に有し、外周に内側転走面５１ａと、この内側転走面５１ａから軸方向に延びる小径段部５１ｂが形成されている。
【０００４】
軸部材５１の小径段部５１ｂには、外周に内側転走面５２ａが形成された内輪５２が圧入されている。そして、軸部材５１の小径段部５１ｂの端部を径方向外方に塑性変形させて形成した加締部５１ｃにより、軸部材５１に対して内輪５２が軸方向へ抜けるのを防止している。
【０００５】
外輪５３は、外周に車体取付フランジ５３ｂを一体に有し、内周に複列の外側転走面５３ａ、５３ａが形成されている。そして、この複列の外側転走面５３ａ、５３ａと、これら複列の外側転走面５３ａ、５３ａに対向する内側転走面５１ａ、５２ａの間には複列のボール５４、５４が転動自在に収容されている。
【０００６】
ここで、加締部５１ｃを形成する円筒部５６の肉厚は、この円筒部５６を径方向外方に加締拡げる以前の状態で先端縁に向う程小さくなっている。そして、この円筒部５６を径方向外方に加締拡げることにより、内輪５２の大端面５２ｂを押え付ける加締部５１ｃの肉厚は、円筒部５６の基端部の肉厚に対し、先端に向うにしたがって漸減している。
【０００７】
これにより、円筒部５６の先端部を押型により塑性変形させて加締部５１ｃを形成するために要する力が徒に大きくなることがなく、加締作業に伴って加締部５１ｃに亀裂等の損傷が発生したり、あるいは、加締部５１ｃにより固定される内輪５２に、この内輪５２の直径を予圧や転がり疲れ寿命等の耐久性に影響を及ぼす程大きく変化させるような力が作用することがない。
【特許文献１】特開平１０−２７２９０３号公報
【発明の開示】
【発明が解決しようとする課題】
【０００８】
このような従来の車輪用軸受装置では、加締作業に伴って予圧や転がり疲労寿命等の耐久性に影響を及ぼす程、内輪５２の内径を大きく変形させるような力が作用するのを防止することができる。然しながら、内輪５２の変形を抑える反面、加締部５１ｃの強度不足が懸念される。すなわち、加締部５１は、内輪５２の軸力（押付力）を付与しているため、無負荷状態の時であってもこの軸力が反作用していると共に、軸受に負荷される軸方向荷重やモーメント荷重によって加締部５１ｃが破断しないように強度を確保する必要がある。ここで、一般的に、軸受サイズアップや内輪の外径および肩部の幅をアップすることにより、加締作業に伴う内輪に生じるフープ応力を低減させることができることが知られている。然しながら、単にサイズアップや内輪の外径および肩部の幅をアップさせることは軽量・コンパクト化を阻害することになって好ましくない。
【０００９】
本発明は、このような従来の問題に鑑みてなされたもので、軽量・コンパクト化を図りつつ、加締加工に伴う内輪の変形を抑えると共に、内輪の肩乗り上げを防止して耐久性を確保した車輪用軸受装置を提供することを目的とする。
【課題を解決するための手段】
【００１０】
係る目的を達成すべく、本発明のうち請求項１に記載の発明は、内周に複列の外側転走面が一体に形成された外方部材と、一端部に車輪取付フランジを一体に有し、外周に軸方向に延びる小径段部が形成されたハブ輪、およびこのハブ輪の小径段部に圧入され、外周に前記複列の外側転走面に対向する内側転走面が形成された少なくとも一つの内輪からなる内方部材と、この内方部材と前記外方部材の両転走面間に保持器を介して転動自在に収容された複列の転動体とを備え、前記小径段部を径方向外方に塑性変形させて形成した加締部により前記ハブ輪に対して前記内輪が軸方向に固定された車輪用軸受装置において、前記内輪の肩部の肉厚をＬ１、前記内輪の内側転走面と転動体との接触点と、当該内輪の大端面とのタッチ部幅をＬ２とした時、Ｌ１×Ｌ２≧１３５に設定されている。
【００１１】
このように、ハブ輪の小径段部に内輪が圧入され、小径段部の端部を径方向外方に塑性変形させて形成した加締部により、ハブ輪に対して内輪が軸方向に固定された車輪用軸受装置において、内輪の肩部の肉厚をＬ１、内輪の内側転走面と転動体との接触点と、当該内輪の大端面とのタッチ部幅をＬ２とした時、Ｌ１×Ｌ２≧１３５に設定されているので、内輪の外径に発生するフープ応力を２００ＭＰａ以下にすることができ、軽量・コンパクト化を図りつつ、軸受のサイズや内輪の外径および肩部の幅を無駄にアップさせることなく、効果的に肩乗り上げを防止して耐久性を確保することができる。
【００１２】
好ましくは、請求項２に記載の発明のように、前記ハブ輪のインナー側の端部に予め凹部が形成されると共に、前記複列の軸受列のうちインナー側の軸受列の作用線と前記小径段部との交点から前記内輪の大端面までの軸方向寸法をＬ３、前記凹部の大端面からの深さをＬ４とした時、Ｌ３＞Ｌ４に設定されていれば、加締加工が容易にでき、また、加締作業に伴って加締部に亀裂等の損傷が発生するのを防止できると共に、軸受部に負荷される荷重が加締部に過大に負荷されることはなく、加締部の耐力を確保することができる。
【００１３】
また、請求項３に記載の発明のように、前記内輪のインナー側の外径端部に小径部が形成されると共に、角部に円弧状の面取りが形成されていれば、フープ応力が緩和され、内輪の耐久性を一層向上させることができる。
【００１４】
また、請求項４に記載の発明のように、前記ハブ輪が炭素０．４０〜０．８０重量％を含む中高炭素鋼からなり、外周に前記複列の外側転走面に対向する一方の内側転走面が直接形成され、この内側転走面から前記小径段部に亙り高周波焼入れによって表面硬さを５８〜６４ＨＲＣの範囲に硬化処理され、前記加締部が鍛造後の素材表面硬さ３０ＨＲＣ以下の未焼入れ部とされると共に、前記内輪が高炭素クロム軸受鋼からなり、外周に前記複列の外側転走面に対向する他方の内側転走面が形成され、ズブ焼入れにより芯部まで５８〜６４ＨＲＣの範囲で硬化処理されていれば、軽量・コンパクト化を図ると共に、加締加工に伴って予圧や転がり疲労寿命等の耐久性に影響を及ぼす程、内輪の内径を大きく変形させるような力が作用するのを防止することができる。
【発明の効果】
【００１５】
本発明に係る車輪用軸受装置は、内周に複列の外側転走面が一体に形成された外方部材と、一端部に車輪取付フランジを一体に有し、外周に軸方向に延びる小径段部が形成されたハブ輪、およびこのハブ輪の小径段部に圧入され、外周に前記複列の外側転走面に対向する内側転走面が形成された少なくとも一つの内輪からなる内方部材と、この内方部材と前記外方部材の両転走面間に保持器を介して転動自在に収容された複列の転動体とを備え、前記小径段部を径方向外方に塑性変形させて形成した加締部により前記ハブ輪に対して前記内輪が軸方向に固定された車輪用軸受装置において、前記内輪の肩部の肉厚をＬ１、前記内輪の内側転走面と転動体との接触点と、当該内輪の大端面とのタッチ部幅をＬ２とした時、Ｌ１×Ｌ２≧１３５に設定されているので、内輪の外径に発生するフープ応力を２００ＭＰａ以下にすることができ、軽量・コンパクト化を図りつつ、軸受のサイズや内輪の外径および肩部の幅を無駄にアップさせることなく、効果的に肩乗り上げを防止して耐久性を確保することができる。
【発明を実施するための最良の形態】
【００１６】
外周に車体に取り付けられるための車体取付フランジを一体に有し、内周に複列の外側転走面が一体に形成された外方部材と、一端部に車輪取付フランジを一体に有し、外周に前記複列の外側転走面に対向する一方の内側転走面と、この内側転走面から軸方向に延びる小径段部が形成されたハブ輪、およびこのハブ輪の小径段部に圧入され、外周に前記複列の外側転走面に対向する他方の内側転走面が形成された内輪からなる内方部材と、この内方部材と前記外方部材の両転走面間に保持器を介して転動自在に収容された複列の転動体とを備え、前記小径段部を径方向外方に塑性変形させて形成した加締部により前記ハブ輪に対して前記内輪が軸方向に固定された車輪用軸受装置において、前記内輪の肩部の肉厚をＬ１、前記内輪の内側転走面と転動体との接触点と、当該内輪の大端面とのタッチ部幅をＬ２とした時、Ｌ１×Ｌ２≧１３５に設定されると共に、前記ハブ輪のインナー側の端部に予め凹部が形成され、この凹部の前記内輪の大端面からの深さをＬ４、前記複列の軸受列のうちインナー側の軸受列の作用線と前記小径段部との交点から前記内輪の大端面までの軸方向寸法をＬ３とした時、Ｌ３＞Ｌ４に設定されている。
【実施例】
【００１７】
以下、本発明の実施の形態を図面に基いて詳細に説明する。
図１は、本発明に係る車輪用軸受装置の一実施形態を示す縦断面図、図２は、図１の要部拡大図、図３は、内輪のプロポーションとフープ応力との関係を示すグラフである。なお、以下の説明では、車両に組み付けた状態で車両の外側寄りとなる側をアウター側（図１の左側）、中央寄り側をインナー側（図１の右側）という。
【００１８】
この車輪用軸受装置は従動輪側の第３世代と称され、内方部材１と外方部材１０、および両部材１、１０間に転動自在に収容された複列の転動体（ボール）６、６とを備えている。内方部材１は、ハブ輪２と、このハブ輪２に所定のシメシロを介して圧入された内輪３とからなる。
【００１９】
ハブ輪２は、アウター側の端部に車輪（図示せず）を取り付けるための車輪取付フランジ４を一体に有し、この車輪取付フランジ４の円周等配位置に車輪を固定するためのハブボルト５が植設されている。このハブ輪２の外周には一方（アウター側）の内側転走面２ａと、この内側転走面２ａから肩部１１を介して軸方向に延びる軸状の小径段部２ｂが形成されている。そして、外周に他方（インナー側）の内側転走面３ａが形成された内輪３がこの小径段部２ｂに圧入されている。
【００２０】
また、車輪取付フランジ４のハブボルト５間には円孔４ａが形成されている。この円孔４ａによってハブ輪２の軽量化を図ることができると共に、車輪用軸受装置の組立工程において、例えば、図示しないブレーキロータをハブ輪２に固定した状態で、ブレーキロータや車輪取付フランジ４に邪魔されることなく、工具にて容易にナックルボルト（図示せず）を締結することもでき、外方部材１０をナックル（図示せず）に簡便に固定することもでき、組立作業性を向上することができる。
【００２１】
そして、内輪３の小端面３ｃをハブ輪２の肩部１１に突き当てた状態で、小径段部２ｂの端部を径方向外方に塑性変形させて加締部２ｃが形成されている。すなわち、この加締部２ｃとハブ輪２の肩部１１とで内輪３を挟持し、ハブ輪２に対して内輪３が軸方向に固定されている。加締部２ｃは内輪３のインナー側の外郭に沿って密着した状態で塑性変形させて形成され、内輪３の大端面３ｂを押え付けて所望の軸力を確保することができる。
【００２２】
外方部材１０は、外周に車体（図示せず）に取り付けるための車体取付フランジ１０ｂを一体に有し、内周に複列の外側転走面１０ａ、１０ａが一体に形成されている。そして、それぞれの転走面１０ａ、２ａと１０ａ、３ａ間に複列の転動体６、６が収容され、保持器７、７によりこれら複列の転動体６、６が転動自在に保持されている。また、外方部材１０と内方部材１との間に形成される環状空間の開口部にはシール８、９が装着され、軸受内部に封入された潤滑グリースの漏洩と、外部から雨水やダスト等が軸受内部に侵入するのを防止している。
【００２３】
なお、ここでは、ハブ輪２の外周に直接内側転走面２ａが形成された第３世代と呼称される車輪用軸受装置を例示したが、本発明に係る車輪用軸受装置はこうした構造に限定されず、例えば、ハブ輪の小径段部に一対の内輪を圧入した、第１世代あるいは第２世代構造であっても良い。また、転動体６、６をボールとした複列アンギュラ玉軸受を例示したが、これに限らず転動体に円すいころを使用した複列円すいころ軸受であっても良い。
【００２４】
ハブ輪２はＳ５３Ｃ等の炭素０．４０〜０．８０重量％を含む中高炭素鋼で形成され、内側転走面２ａをはじめ、アウター側のシール８が摺接する車輪取付フランジ４の基部４ｂから小径段部２ｂに亙り高周波焼入れによって表面硬さを５８〜６４ＨＲＣの範囲に硬化処理されている。なお、加締部２ｃは、鍛造後の素材表面硬さの未焼入れ部とされている。
【００２５】
一方、内輪３および転動体６は、ＳＵＪ２等の高炭素クロム軸受鋼からなり、ズブ焼入れにより芯部まで５８〜６４ＨＲＣの範囲で硬化処理されている。また、外方部材１０は、前記ハブ輪２と同様、Ｓ５３Ｃ等の炭素０．４０〜０．８０重量％を含む中高炭素鋼で形成され、少なくとも複列の外側転走面１０ａ、１０ａが高周波焼入れによって表面硬さを５８〜６４ＨＲＣの範囲に硬化処理されている。
【００２６】
ここで、本出願人は、加締部２ｃの耐力を確保すると同時に、内輪２の肩乗り上げを防止して耐久性を確保するために、内輪３のプロポーション（形状・寸法）との関係に着目した。本実施形態では、図２に示すように、本出願人が実施した加締試験では、内輪３の肩部の肉厚をＬ１、転動体６の接触角θにおける内輪３の内側転走面３ａと転動体６との接触点Ｐ１と、内輪３の大端面３ｂとの距離（以下、タッチ部幅という）をＬ２とした時、内輪３のプロポーションと内輪３に生じるフープ応力との関係が、図３に示すような関係にあることが判った。また、内輪３の外径に発生するフープ応力が２００ＭＰａ以上になると、内輪３の割れ等の損傷が発生する恐れがあることも判った。
【００２７】
ここで、内輪３の外径に発生するフープ応力を２００ＭＰａ以下にするためには、図３に示すグラフから、内輪３の肉厚Ｌ１×タッチ部幅Ｌ２≧１３５とすることが有効である。これにより、軽量・コンパクト化を図りつつ、軸受のサイズや内輪３の外径および肩部の幅を無駄にアップさせることなく、効果的に肩乗り上げを防止して耐久性を確保することができる。
【００２８】
また、インナー側の軸受列の作用線Ｓと小径段部２ｂとの交点Ｐ２から内輪３の大端面３ｂまでの軸方向寸法をＬ３、加締部２ｃに予め形成される凹部１２の大端面３ｂからの深さをＬ４とした場合、Ｌ３＞Ｌ４であれば、加締加工が容易にでき、また、加締作業に伴って加締部２ｃに亀裂等の損傷が発生するのを防止できると共に、軸受部に負荷される荷重が加締部２ｃに過大に負荷されることはなく、加締部２ｃの耐力を確保することができる。
【００２９】
さらに、加締加工に伴って内輪３の外径部、とりわけインナー側の端部には最大のフープ応力が発生するため、本実施形態では、角部に円弧状の面取りが形成されると共に、端部に小径部１３が形成されている。これにより、フープ応力が緩和され、内輪３の耐久性を一層向上させることができる。
【００３０】
以上、本発明の実施の形態について説明を行ったが、本発明はこうした実施の形態に何等限定されるものではなく、あくまで例示であって、本発明の要旨を逸脱しない範囲内において、さらに種々なる形態で実施し得ることは勿論のことであり、本発明の範囲は、特許請求の範囲の記載によって示され、さらに特許請求の範囲に記載の均等の意味、および範囲内のすべての変更を含む。
【産業上の利用可能性】
【００３１】
本発明に係る車輪用軸受装置は、ハブ輪の小径段部に内輪を圧入し、小径段部の端部を塑性変形させて形成した加締部によって内輪を固定した第１世代乃至第３世代のセルフリテイン構造の車輪用軸受装置に適用できる。
【図面の簡単な説明】
【００３２】
【図１】本発明に係る車輪用軸受装置の一実施形態を示す縦断面図である。
【図２】図１の要部拡大図である。
【図３】内輪のプロポーションとフープ応力との関係を示すグラフである。
【図４】従来の車輪用軸受装置を示す縦断面図である。
【符号の説明】
【００３３】
１・・・・・・・・・内方部材
２・・・・・・・・・ハブ輪
２ａ、３ａ・・・・・内側転走面
２ｂ・・・・・・・・小径段部
２ｃ・・・・・・・・加締部
３・・・・・・・・・内輪
３ｂ・・・・・・・・大端面
３ｃ・・・・・・・・小端面
４・・・・・・・・・車輪取付フランジ
５・・・・・・・・・ハブボルト
６・・・・・・・・・転動体
７・・・・・・・・・保持器
８、９・・・・・・・シール
１０・・・・・・・・外方部材
１０ａ・・・・・・・外側転走面
１０ｂ・・・・・・・車体取付フランジ
１１・・・・・・・・肩部
１２・・・・・・・・凹部
１３・・・・・・・・小径部
５１・・・・・・・・ハブ輪
５１ａ、５２ａ・・・内側転走面
５１ｂ・・・・・・・小径段部
５１ｃ・・・・・・・加締部
５２・・・・・・・・内輪
５２ｂ・・・・・・・大端面
５３・・・・・・・・外輪
５３ａ・・・・・・・外側転走面
５３ｂ・・・・・・・車体取付フランジ
５４・・・・・・・・ボール
５５・・・・・・・・車輪取付フランジ
５６・・・・・・・・円筒部
Ｌ１・・・・・・・・内輪の肩部の肉厚
Ｌ２・・・・・・・・タッチ部幅
Ｌ３・・・・・・・・作用線と小径段部との交点から内輪の大端面までの寸法
Ｌ４・・・・・・・・凹部の深さ
Ｐ１・・・・・・・・内輪の内側転走面と転動体との接触点
Ｐ２・・・・・・・・インナー側の軸受列の作用線と小径段部との交点
θ・・・・・・・・・接触角
【図１】
2009293731.tif 000003
【図２】
2009293731.tif 000004
【図３】
2009293731.tif 000005
【図４】
2009293731.tif 000006